(57)【要約】【課題】複雑な計算をすることなく、キャリアリークによる受信品質の低減を防ぐ。【解決手段】直流成分調整部１５１は、他の装置に送信する信号の直流成分の大きさを変化させる。増減決定部１５４は、直流成分調整部１５１が直流成分の大きさを変化させる前に送信した信号の他の装置における受信品質と、直流成分調整部１５１が直流成分の大きさを変化させた後に送信した信号の前記他の装置における受信品質との差に基づいて、直流成分調整部１５１に直流成分の大きさを増加させるか減少させるかを決定する。【選択図】図２
2016019126.tif 000002
【特許請求の範囲】
【請求項１】
他の装置に送信する信号の直流成分の大きさを変化させる直流成分調整部と、
前記直流成分調整部が直流成分の大きさを変化させる前に送信した信号の前記他の装置における受信品質と、前記直流成分調整部が直流成分の大きさを変化させた後に送信した信号の前記他の装置における受信品質との差に基づいて、前記直流成分調整部に直流成分の大きさを増加させるか減少させるかを決定する増減決定部と
を備える通信制御装置。
【請求項２】
前記直流成分調整部は、前記他の装置における受信品質が所定の受信品質より良くない場合に、前記増減決定部による決定結果に従って前記信号の直流成分の大きさを変化させる
請求項１に記載の通信制御装置。
【請求項３】
前記増減決定部は、前記直流成分調整部による直流成分の大きさの変化後の前記信号の受信品質が、前記直流成分の大きさの変化前の前記信号の受信品質より良好である間、前記増減決定部による決定結果に従って前記信号の直流成分の大きさを変化させ続ける
請求項１または請求項２に記載の通信制御装置。
【請求項４】
他の装置に送信する信号のうち、直交周波数分割多重変調に係る中央周波数のサブキャリアに、受信品質の算出に用いる信号を重畳させる品質算出用信号生成部を備え、
前記増減決定部は、前記直流成分調整部が直流成分の大きさを変化させる前に送信した信号の前記品質算出用信号の前記他の装置における受信品質と、前記直流成分調整部が直流成分の大きさを変化させた後に送信した信号の前記中央周波数のサブキャリアの前記他の装置における受信品質との差に基づいて、前記直流成分調整部に直流成分の大きさを増加させるか減少させるかを決定する
請求項１から請求項３の何れか１項に記載の通信制御装置。
【請求項５】
前記直流成分調整部は、前記信号の同相成分と直交成分のそれぞれについて前記直流成分の大きさを変化させる
請求項１から請求項４の何れか１項に記載の通信制御装置。
【請求項６】
前記直流成分調整部は、他の装置に送信する信号の直流成分の大きさを、当該信号の変調方式ごとに変化させる
請求項１から請求項５の何れか１項に記載の通信制御装置。
【請求項７】
他の装置に信号を送信する送信部と、
前記他の装置における前記信号の受信品質を取得する受信品質取得部と、
前記送信部が送信する信号の直流成分の大きさを変化させる直流成分調整部と、
前記直流成分調整部が直流成分の大きさを変化させる前に送信した信号の前記他の装置における受信品質と、前記直流成分調整部が直流成分の大きさを変化させた後に送信した信号の前記他の装置における受信品質との差に基づいて、前記直流成分調整部に直流成分の大きさを増加させるか減少させるかを決定する増減決定部と
を備える無線通信装置。
【請求項８】
他の装置に送信する信号の直流成分の大きさを変化させるステップと、
直流成分の大きさを変化させる前に送信した信号の前記他の装置における受信品質と、直流成分の大きさを変化させた後に送信した信号の前記他の装置における受信品質との差に基づいて、直流成分の大きさを増加させるか減少させるかを決定するステップと
を有する送信信号の調整方法。
【請求項９】
無線通信装置のコンピュータを、
他の装置に送信する信号の直流成分の大きさを変化させる直流成分調整部、
前記直流成分調整部が直流成分の大きさを変化させる前に送信した信号の前記他の装置における受信品質と、前記直流成分調整部が直流成分の大きさを変化させた後に送信した信号の前記他の装置における受信品質との差に基づいて、前記直流成分調整部に直流成分の大きさを増加させるか減少させるかを決定する増減決定部
として機能させるためのプログラム。
【発明の詳細な説明】
【技術分野】
【０００１】
本発明は、通信制御装置、無線通信装置、送信信号の調整方法及びプログラムに関する。
【背景技術】
【０００２】
直交変調器を用いた無線通信装置においては、キャリアリークの発生により通信品質が劣化することがある。キャリアリークとは、ベースバンド信号の同相成分と直交成分に直流（ＤＣ：Ｄｉｒｅｃｔ  Ｃｕｒｒｅｎｔ）電圧のずれが生じることによって、同相成分または直交成分に直流成分が不要波として現れる現象である。そのため、無線通信においてはキャリアリークのレベルを抑制することが課題となっている。同相成分と直交成分に生じる直流電圧のずれは、無線通信装置の個体ごとに異なるものである。そのため、キャリアリークの抑制のための調整は、無線通信装置ごとになされる。
【０００３】
特許文献１、２には、無線通信装置がＤＣオフセット値を調整することでキャリアリークを抑制する技術が開示されている。特許文献１には、振幅誤差に関する制御値を平均化して適切なＤＣオフセットの補正値を生成する技術が開示されている。特許文献２には、フーリエ変換による信号処理から補正値を算出する技術が開示されている。
【先行技術文献】
【特許文献】
【０００４】
【特許文献１】特開２００７−２５８９１１号公報
【特許文献２】特開２００８−２２８０４３号公報
【発明の概要】
【発明が解決しようとする課題】
【０００５】
しかしながら、特許文献１、２に記載のＤＣオフセットの補正方法は、いずれも計算に基づいて適切な補正値を特定するものである。そのため、当該補正方法を用いるためには、無線通信装置が当該計算を行うための計算資源を備える必要があった。
本発明の目的は、上述した課題を解決する通信制御装置、無線通信装置、送信信号の調整方法及びプログラムを提供することにある。
【課題を解決するための手段】
【０００６】
第１の態様は、他の装置に送信する信号の直流成分の大きさを変化させる直流成分調整部と、前記直流成分調整部が直流成分の大きさを変化させる前に送信した信号の前記他の装置における受信品質と、前記直流成分調整部が直流成分の大きさを変化させた後に送信した信号の前記他の装置における受信品質との差に基づいて、前記直流成分調整部に直流成分の大きさを増加させるか減少させるかを決定する増減決定部とを備える通信制御装置である。
【０００７】
また、第２の態様は、他の装置に信号を送信する送信部と、前記他の装置における前記信号の受信品質を取得する受信品質取得部と、前記送信部が送信する信号の直流成分の大きさを変化させる直流成分調整部と、前記直流成分調整部が直流成分の大きさを変化させる前に送信した信号の前記他の装置における受信品質と、前記直流成分調整部が直流成分の大きさを変化させた後に送信した信号の前記他の装置における受信品質との差に基づいて、前記直流成分調整部に直流成分の大きさを増加させるか減少させるかを決定する増減決定部とを備える無線通信装置である。
【０００８】
また、第３の態様は、他の装置に送信する信号の直流成分の大きさを変化させるステップと、直流成分の大きさを変化させる前に送信した信号の前記他の装置における受信品質と、直流成分の大きさを変化させた後に送信した信号の前記他の装置における受信品質との差に基づいて、直流成分の大きさを増加させるか減少させるかを決定するステップとを有する送信信号の調整方法である。
【０００９】
また、第４の態様は、無線通信装置のコンピュータを、他の装置に送信する信号の直流成分の大きさを変化させる直流成分調整部、前記直流成分調整部が直流成分の大きさを変化させる前に送信した信号の前記他の装置における受信品質と、前記直流成分調整部が直流成分の大きさを変化させた後に送信した信号の前記他の装置における受信品質との差に基づいて、前記直流成分調整部に直流成分の大きさを増加させるか減少させるかを決定する増減決定部として機能させるためのプログラムである。
【発明の効果】
【００１０】
上記態様のうち少なくとも１つの態様によれば、無線通信装置は、複雑な計算をすることなく、キャリアリークによる受信品質の低減を防ぐことができる。
【図面の簡単な説明】
【００１１】
【図１】いくつかの実施形態に係る無線通信システムの構成を示す概略ブロック図である。
【図２】第１の実施形態に係る無線通信装置の構成を示す概略ブロック図である。
【図３】第１の実施形態に係る無線通信装置による直交変調信号の調整方法を示すフローチャートである。
【図４】第１の実施形態に係る無線通信装置による直流電圧調整処理を示すフローチャートである。
【図５】第２の実施形態に係る無線通信装置の構成を示す概略ブロック図である。
【図６】通信制御装置の基本構成を示す概略ブロック図である。
【図７】少なくとも１つの実施形態に係るコンピュータの構成を示す概略ブロック図である。
【発明を実施するための形態】
【００１２】
《第１の実施形態》
以下、図面を参照しながら実施形態について詳しく説明する。
図１は、いくつかの実施形態に係る無線通信システムの構成を示す概略ブロック図である。
本実施形態に係る通信システムは、対向するアンテナを有する２つの無線通信装置１００を備える。２つの無線通信装置１００は、互いに遠隔地に設けられる。２つの無線通信装置１００は、アンテナを介して情報の送受信を行う。２つの無線通信装置１００は、いずれも直交変復調方式で通信を行う。
【００１３】
図２は、第１の実施形態に係る無線通信装置１００の構成を示す概略ブロック図である。
本実施形態に係る無線通信装置１００は、送信回路として、信号生成部１１０、コンバータ１２０、直交変復調部１３０、ＲＦ（Ｒａｄｉｏ  Ｆｒｅｑｕｅｎｃｙ）部１４０及び通信制御装置１５０を備える。
信号生成部１１０は、対向する無線通信装置１００に送信する信号を生成する。なお、信号生成部１１０は、直交変復調に係る同相（Ｉ：Ｉｎ−ｐｈａｓｅ）信号と直交（Ｑ：  Ｑｕａｄｒａｔｕｒｅ）信号のデジタル信号をそれぞれ生成する。
コンバータ１２０は、信号生成部１１０が生成したデジタル信号をアナログ信号に変換する。他方、直交変復調部１３０が分離した直交変調信号の同相成分及び直交成分を、それぞれデジタル信号に変換する。
【００１４】
直交変復調部１３０は、コンバータ１２０が変換したアナログ信号を直交変調信号に変換する。具体的には、直交変復調部１３０は、同相信号をＲＦ搬送波とミックスし、直交信号を９０度の位相オフセットを有するＲＦ搬送波とミックスする。そして、直交変復調部１３０は、直交信号と同相信号とを合成することで、直交変調信号を生成する。また、直交変復調部１３０は、ＲＦ部１４０が対向する無線通信装置１００から受信した直交変調信号を、同相成分と直交成分とに分離する。
ＲＦ部１４０は、直交変復調部１３０が生成した直交変調信号を対向する無線通信装置１００に送信する。またＲＦ部１４０は、対向する無線通信装置１００から直交変調信号を受信する。なお、ＲＦ部１４０は、送信部の一例である。
【００１５】
通信制御装置１５０は、直交変調信号のキャリアリークを抑制するために、直交変調信号の直流成分の強度を調整する。
通信制御装置１５０は、直流成分調整部１５１、受信品質取得部１５２、基準品質記憶部１５３、増減決定部１５４を備える。
直流成分調整部１５１は、信号生成部１１０が生成したデータ信号の直流成分を増減させる。
受信品質取得部１５２は、対向する無線通信装置１００から送信される、直交変調信号の応答信号から、当該直交変調信号の受信品質を取得する。受信品質の例としては、ＣＮ（Ｃａｒｒｉｅｒ  Ｎｏｉｓｅ）比、ＢＥＲ（Ｂｉｔ  Ｅｒｒｏｒ  Ｒａｔｅ）、ＭＥＲ（Ｍｏｄｕｌａｔｉｏｎ  Ｅｒｒｏｒ  Ｒａｔｉｏ）などが挙げられる。ＣＮ比は、キャリア信号とノイズとの強度の比を表す。キャリアリークが大きいほど、ＣＮ比は小さい値になる。ＢＥＲは、直交変調信号の復調の誤り率を表す。キャリアリークが大きいほど、ＢＥＲは高い値となる。ＭＥＲは、直交変調信号の受信点がコンスタレーション（信号空間ダイヤグラム）の信号点からのずれ量を表す。キャリアリークが大きいほど、低い値となる。
【００１６】
基準品質記憶部１５３は、受信品質取得部１５２が取得した受信品質を一時的に記憶する。
増減決定部１５４は、受信品質取得部１５２が取得した受信品質と基準品質記憶部１５３が記憶する受信品質との比較結果に基づいて、直流成分調整部１５１に、直流成分を増加させるか減少させるかを決定する。具体的には、増減決定部１５４は、受信品質が向上するように、直流成分を増加させるか減少させるかを決定する。
【００１７】
ここで、本実施形態に係る無線通信装置１００による直交変調信号の調整方法について説明する。
図３は、第１の実施形態に係る無線通信装置１００による直交変調信号の調整方法を示すフローチャートである。
無線通信装置１００は、対向する無線通信装置１００との通信を開始すると、直交変調信号の調整を行う。まず、信号生成部１１０は、対向する無線通信装置１００に送信するユーザデータから、同相信号と直交信号とを生成する。このとき、直流成分調整部１５１は、同相信号及び直交信号の直流電圧を予め定められた初期強度に調整する（ステップＳ１）。当該信号は、コンバータ１２０及び直交変復調部１３０によって、直交変調信号に変換される。そして、ＲＦ部１４０は、直交変調信号を対向する無線通信装置１００に送信する（ステップＳ２）。
【００１８】
対抗する無線通信装置１００は、直交変調信号を受信すると、当該直交変調信号の受信品質を算出する。そして、対向する無線通信装置１００は、直交変調信号の受信応答として、算出した受信品質を含む応答信号を送信する。
【００１９】
無線通信装置１００は、直交変調信号を送信した後、当該直交変調信号に対する応答信号の受信を待機する。ＲＦ部１４０が受信応答を受信すると（ステップＳ３）、当該受信応答は、直交変復調部１３０及びコンバータ１２０によりデジタル信号に変換される。受信品質取得部１５２は、コンバータ１２０が変換した受信応答のデジタル信号から、受信品質を示す情報を取得する（ステップＳ４）。次に、受信品質取得部１５２は、取得した受信品質を、基準品質記憶部１５３に記録する（ステップＳ５）。
【００２０】
次に、増減決定部１５４は、受信品質取得部１５２が取得した受信品質が予め定められた受信品質の目標値より良好であるか否かを判定する（ステップＳ６）。増減決定部１５４は、受信品質取得部１５２が取得した受信品質が目標値より良好でない（例えば、ＢＥＲが高い、ＣＮ比が低い）と判定した場合（ステップＳ６：ＮＯ）、直前の直流成分の調整対象が直交変調信号の同相成分であるか否かを判定する（ステップＳ７）。具体的には、増減決定部１５４は、以下に示す直流電圧調整処理の前回の実行時の対象が同相成分であったか否かを判定する。
【００２１】
増減決定部１５４は、直前の調整対象が同相成分でないと判定した場合（ステップＳ７：ＮＯ）、同相信号について、以下に示す直流電圧調整処理を実行する（ステップＳ８）。他方、増減決定部１５４は、直前の調整対象が同相成分であると判定した場合（ステップＳ７：ＹＥＳ）、同相信号について、以下に示す直流電圧調整処理を実行する（ステップＳ９）。そして、増減決定部１５４は、同相成分または直交成分について直流電圧調整処理を実行すると、ステップＳ５に戻り、再度受信品質と目標値との比較を行う。
【００２２】
なお、増減決定部１５４は、ステップＳ６において、受信品質取得部１５２が取得した受信品質が予め定められた受信品質の目標値より良好であると判定した場合（ステップＳ６：ＹＥＳ）、直交変調信号の調整処理を終了する。
【００２３】
ここで、上記ステップＳ８またはステップＳ９において実行する直流電圧調整処理について説明する。
図４は、第１の実施形態に係る無線通信装置１００による直流電圧調整処理を示すフローチャートである。
まず、増減決定部１５４は、ステップＳ８またはステップＳ９で選択された信号（同相信号または直交信号）について、直流成分を所定値だけ増加させることを決定する（ステップＳ１０１）。直流成分調整部１５１は、増減決定部１５４による決定に従って、ステップＳ８またはステップＳ９で選択された信号の直流成分を増加させる。そして、ＲＦ部１４０は、信号生成部１１０が生成した信号に基づいて生成された直交変調信号を、対向する無線通信装置１００に送信する（ステップＳ１０２）。
【００２４】
無線通信装置１００は、直交変調信号を送信した後、当該直交変調信号に対する応答信号の受信を待機する。ＲＦ部１４０が受信応答を受信すると（ステップＳ１０３）、受信品質取得部１５２は、当該受信応答が復調されたデジタル信号から、受信品質を示す情報を取得する（ステップＳ１０４）。次に、増減決定部１５４は、受信品質取得部１５２が取得した受信品質が、基準品質記憶部１５３が記憶する受信品質より良好であるか否かを判定する（ステップＳ１０５）。つまり、増減決定部１５４は、ステップＳ１０１で直流成分を増加させたことによる受信品質の変化を特定する。
【００２５】
増減決定部１５４が、受信品質取得部１５２が取得した受信品質が直流成分の増加前の受信品質より良好であると判定した場合（ステップＳ１０５：ＹＥＳ）、受信品質取得部１５２は、取得した受信品質を、基準品質記憶部１５３に記録する（ステップＳ１０６）。次に、増減決定部１５４は、ステップＳ８またはステップＳ９で選択された信号の直流成分を所定値だけ増加させることを決定する（ステップＳ１０７）。直流成分調整部１５１は、増減決定部１５４による決定に従って、ステップＳ８またはステップＳ９で選択された信号の直流成分を増加させる。そして、ＲＦ部１４０は、信号生成部１１０が生成した信号に基づいて生成された直交変調信号を、対向する無線通信装置１００に送信する（ステップＳ１０８）。
【００２６】
無線通信装置１００は、直交変調信号を送信した後、当該直交変調信号に対する応答信号の受信を待機する。ＲＦ部１４０が受信応答を受信すると（ステップＳ１０９）、受信品質取得部１５２は、当該受信応答が復調されたデジタル信号から、受信品質を示す情報を取得する（ステップＳ１１０）。次に、増減決定部１５４は、受信品質取得部１５２が取得した受信品質が、基準品質記憶部１５３が記憶する受信品質より良好であるか否かを判定する（ステップＳ１１１）。
【００２７】
増減決定部１５４が、受信品質取得部１５２が取得した受信品質が直流成分の増加前の受信品質より良好であると判定した場合（ステップＳ１１１：ＹＥＳ）、ステップＳ１０６に戻り、更に直流成分を増加させる処理を行う。他方、増減決定部１５４が、受信品質取得部１５２が取得した受信品質が直流成分の増加前の受信品質より良好でないと判定した場合（ステップＳ１１１：ＮＯ）、直流電圧調整処理を終了する。つまり、通信制御装置１５０は、直流成分の増加による受信品質の向上の見込みがある間、直流成分を逐次増加させ続け、直流成分の増加によって受信品質のピークを越えた時点で、直流成分の調整を終了する。
【００２８】
他方、ステップＳ１０５において、増減決定部１５４が、受信品質取得部１５２が取得した受信品質が直流成分の増加前の受信品質より良好でないと判定した場合（ステップＳ１０５：ＮＯ）、増減決定部１５４は、ステップＳ８またはステップＳ９で選択された信号の直流成分を初期強度に調整することを決定する（ステップＳ１１２）。次に、増減決定部１５４は、ステップＳ８またはステップＳ９で選択された信号の直流成分を所定値だけ減少させることを決定する（ステップＳ１１３）。直流成分調整部１５１は、増減決定部１５４による決定に従って、ステップＳ８またはステップＳ９で選択された信号の直流成分を減少させる。そして、ＲＦ部１４０は、信号生成部１１０が生成した信号に基づいて生成された直交変調信号を、対向する無線通信装置１００に送信する（ステップＳ１１４）。
【００２９】
無線通信装置１００は、直交変調信号を送信した後、当該直交変調信号に対する応答信号の受信を待機する。ＲＦ部１４０が受信応答を受信すると（ステップＳ１１５）、受信品質取得部１５２は、当該受信応答が復調されたデジタル信号から、受信品質を示す情報を取得する（ステップＳ１１６）。次に、増減決定部１５４は、受信品質取得部１５２が取得した受信品質が、基準品質記憶部１５３が記憶する受信品質より良好であるか否かを判定する（ステップＳ１１７）。
【００３０】
増減決定部１５４が、受信品質取得部１５２が取得した受信品質が直流成分の減少前の受信品質より良好であると判定した場合（ステップＳ１１７：ＹＥＳ）、ステップＳ１１３に戻り、更に直流成分を減少させる処理を行う。他方、増減決定部１５４が、受信品質取得部１５２が取得した受信品質が直流成分の減少前の受信品質より良好でないと判定した場合（ステップＳ１１１：ＮＯ）、直流電圧調整処理を終了する。つまり、通信制御装置１５０は、直流成分の減少による受信品質の向上の見込みがある間、直流成分を逐次減少させ続け、直流成分の減少によって受信品質のピークを越えた時点で、直流成分の調整を終了する。
【００３１】
このように、本実施形態に係る無線通信装置１００によれば、受信品質がピークになるまで信号の直流成分を逐次増加または減少させることで、直交変調信号の同相成分及び直交成分のそれぞれについて、受信品質を最適化することができる。また、受信品質の計算は比較的簡易に行うことができるため、本実施形態に係る無線通信装置１００は、簡易な構成でキャリアリークを抑制することができる。
【００３２】
なお、無線通信装置１００が複数の直交変調方式（例えば、ＱＰＳＫ（Ｑｕａｄｒｉｐｈａｓｅ  Ｐｈａｓｅ−Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）など）に対応している場合、無線通信装置１００は、多値数の少ない方から順に、信号の直流成分の大きさを調整する。つまり、無線通信装置１００は、予め多値数の少ない変調方式の信号に基づいて直流成分の大きさを調整し、その後、多値数の多い変調方式の信号に基づいて直流成分の大きさを調整する。
変調方式の多値数が多いほど、当該変調方式で変調された信号は、キャリアリークの影響を受けやすい。そのため、無線通信装置１００は、多値数の多い変調方式の信号に基づいて信号の直流成分の大きさを調整することで、適切にキャリアリークを除去することができる。他方、無線通信装置１００は、多値数の多い変調方式の信号の受信品質を測定する場合、キャリアリークの影響が過大であると、正確に受信品質を測定できない可能性がある。他方、変調方式の多値数が少ないほど、当該変調方式で変調された信号は、キャリアリークの影響を受けにくい。そのため、無線通信装置１００は、多値数の少ない変調方式の信号の受信品質を測定する場合、キャリアリークの影響が大きくても、適切に受信品質を測定することができる。そのため、上記のように多値数の少ない方から順に調整を行うことで、キャリアリークの大きさを徐々に小さくし、多値数の多い変調方式の信号に基づいて信号の直流成分の大きさを調整することができる。
【００３３】
また、本実施形態では、増減決定部１５４は、ステップＳ１０１にて直流成分を増加させ、その結果受信品質が向上したいか否かに基づいて、以降の手順において直流成分の大きさを増加させるか減少させるかを決定する。具体的には、増減決定部１５４は、受信品質が向上した場合に、以降の手順において直流成分の大きさを増加させることを決定する。他方、増減決定部１５４の動作はこれに限られない。例えば、他の実施形態では、ステップＳ１０１にて直流成分を減少させ、その結果受信品質が向上したいか否かに基づいて、以降の手順において直流成分の大きさを増加させるか減少させるかを決定しても良い。この場合、増減決定部１５４は、受信品質が向上した場合に、以降の手順において直流成分の大きさを減少させることを決定する。
【００３４】
《第２の実施形態》
次に、第２の実施形態について説明する。
図５は、第２の実施形態に係る無線通信装置１００の構成を示す概略ブロック図である。
第１の実施形態では、無線通信装置１００は、シングルキャリア変調にて直交変調信号を送信する場合について説明した。第２の実施形態に係る無線通信装置１００は、ＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ：直交周波数分割多重方式）に基づいてマルチキャリア伝送を行う。
【００３５】
本実施形態に係る無線通信装置１００は、第１の実施形態に加え、品質算出用信号生成部１６０及びＯＦＤＭ信号変換部１７０を備える。
品質算出用信号生成部１６０は、受信品質（例えば、ＢＥＲ）の算出のみに用いる品質算出用信号を生成する。例えば、品質算出用信号は、対向する無線通信装置１００との間で既知のビット列を示す信号である。
ＯＦＤＭ信号変換部１７０は、信号生成部１１０が生成した複数の信号を、それぞれ互いに直交する異なる周波数のサブキャリアに乗せる。また、ＯＦＤＭ信号変換部１７０は、品質算出用信号生成部１６０が生成した品質算出用信号を、ＯＦＤＭ信号のＤＣサブキャリア（帯域幅の中央周波数のサブキャリア）に乗せる。
【００３６】
ＤＣサブキャリアは、他のサブキャリアと比較してＤＣオフセットの影響が強く表れるため、ユーザデータの伝送には用いられないことが多い。そこで、本実施形態では、ＤＣオフセットの影響が強く表れるＤＣサブキャリアに受信品質の算出用の信号を重畳することで、ＤＣサブキャリア以外のサブキャリアを、ユーザデータの伝送のために確保することができる。さらに、ＤＣオフセットの影響が強く表れるＤＣサブキャリアに受信品質の算出用の信号を重畳することで、無線通信装置１００は、ＤＣオフセットに起因するキャリアリークを適切に抑制することができる。なお、この場合、対向する無線通信装置１００は、ＤＣサブキャリアについての受信品質を含む応答信号を、ＤＣサブキャリア以外のサブキャリアに重畳して送信する。そして、増減決定部１５４は、当該ＤＣサブキャリアの受信品質に基づいて、各サブキャリアの直流成分の大きさを増加させるか減少させるかを決定する。
【００３７】
このように、上述した実施形態によれば、無線通信装置１００は、受信品質という算出が容易な情報を用いて、逐次的に直流電圧の調整を行うことで、キャリアリークを抑制する。これにより、無線通信装置１００は、簡易な構成でキャリアリークを抑制することができる。また、上述した実施形態にかかる無線通信装置１００は、直流電圧を変化させて、その変化前後の受信品質の変化に基づいて、直流電圧を増加させるか減少させるかを決定する。これにより、無線通信装置１００は、キャリアリークを抑制するために、直流電圧を増加させるべきか減少させるべきかを特定することができる。
【００３８】
以上、図面を参照して一実施形態について詳しく説明してきたが、具体的な構成は上述のものに限られることはなく、様々な設計変更等をすることが可能である。
【００３９】
《基本構成》
図６は、通信制御装置１５０の基本構成を示す概略ブロック図である。
上述した実施形態では、通信制御装置１５０の一実施形態として図２や図５に示す構成について説明したが、通信制御装置１５０の基本構成は、図６に示すとおりである。
すなわち、通信制御装置１５０は、直流成分調整部１５１及び増減決定部１５４を基本構成とする。
【００４０】
直流成分調整部１５１は、他の装置に送信する信号の直流成分の大きさを変化させる。
増減決定部１５４は、直流成分調整部１５１が直流成分の大きさを変化させる前に送信した信号の他の装置における受信品質と、直流成分調整部１５１が直流成分の大きさを変化させた後に送信した信号の他の装置における受信品質との差に基づいて、直流成分調整部１５１に直流成分の大きさを増加させるか減少させるかを決定する。
これにより、通信制御装置１５０は、複雑な計算をすることなく、キャリアリークによる受信品質の低減を防ぐことができる。
【００４１】
図７は、少なくとも１つの実施形態に係るコンピュータ９００の構成を示す概略ブロック図である。
コンピュータ９００は、ＣＰＵ９０１（Ｃｅｎｔｒａｌ  Ｐｒｏｃｅｓｓｉｎｇ  Ｕｎｉｔ）、主記憶装置９０２、補助記憶装置９０３、インタフェース９０４を備える。
上述の通信制御装置１５０は、コンピュータ９００に実装される。そして、上述した各処理部の動作は、プログラムの形式で補助記憶装置９０３に記憶されている。ＣＰＵ９０１は、プログラムを補助記憶装置９０３から読み出して主記憶装置９０２に展開し、当該プログラムに従って上記処理を実行する。また、ＣＰＵ９０１は、プログラムに従って基準品質記憶部１５３に相当する領域を主記憶装置９０２に確保する。
【００４２】
なお、少なくとも１つの実施形態において、補助記憶装置９０３は、一時的でない有形の媒体の一例である。一時的でない有形の媒体の他の例としては、インタフェース９０４を介して接続される磁気ディスク、光磁気ディスク、ＣＤ−ＲＯＭ、ＤＶＤ−ＲＯＭ、半導体メモリ等が挙げられる。また、このプログラムが通信回線によってコンピュータ９００に配信される場合、配信を受けたコンピュータ９００が当該プログラムを主記憶装置９０２に展開し、上記処理を実行しても良い。
【００４３】
また、当該プログラムは、前述した機能の一部を実現するためのものであっても良い。さらに、当該プログラムは、前述した機能を補助記憶装置９０３に既に記憶されている他のプログラムとの組み合わせで実現するもの、いわゆる差分ファイル（差分プログラム）であっても良い。
【符号の説明】
【００４４】
１００…無線通信装置  １１０…信号生成部  １２０…コンバータ  １３０…直交変調部  １４０…ＲＦ部  １５０…通信制御装置  １５１…直流成分調整部  １５２…受信品質取得部  １５３…基準品質記憶部  １５４…増減決定部  １６０…校正用信号生成部  １７０…ＯＦＤＭ信号変換部  ９００…コンピュータ  ９０１…ＣＰＵ  ９０２…主記憶装置  ９０３…補助記憶装置  ９０４…インタフェース
【図１】
2016019126.tif 000003
【図２】
2016019126.tif 000004
【図３】
2016019126.tif 000005
【図４】
2016019126.tif 000006
【図５】
2016019126.tif 000007
【図６】
2016019126.tif 000008
【図７】
2016019126.tif 000009